(57)【特許請求の範囲】
【請求項１】
熱交換器を通過する空気の塵埃を除去するエアーフィルターと、前記エアーフィルターに沿って駆動可能な吸引ノズルと、前記吸引ノズルに連結された吸引装置により構成される空気調和機のフィルター装置において、空気調和機の所定時間連続運転時に自動的にその吸引ノズルを往復させることでフィルター清掃を実施し、その複数回の往復によりフィルター全面を清掃し、該清掃の前に前記空気調和機の運転を一旦停止し、一回の清掃時に実施する前記吸引ノズルの往復回数をファンモータの累積運転時間により決定して清掃し、該清掃の後に前記停止前の運転モードにて運転再開することを特徴とする空気調和機のフィルター自動清掃装置。
【請求項２】
熱交換器を通過する空気の塵埃を除去するエアーフィルターと、前記エアーフィルターに沿って駆動可能な吸引ノズルと、前記吸引ノズルに連結された吸引装置により構成されるフィルター装置を具備し、その吸引ノズルを往復させることでフィルター清掃を実施し、その複数回の往復によりフィルター全面を清掃することを特徴とした空気調和機のフィルター自動清掃装置において、一回の清掃時に実施する前記吸引ノズルの往復回数をユーザーにより決定できる操作手段を具備したことを特徴とする請求項１記載の空気調和機のフィルター自動清掃装置。
【請求項３】
ファンモータの累積運転時間により吸引ノズルの往復回数を決定し、空気調和機の連続運転時にはファンモータの累積運転時間がユーザーの決定した吸引ノズルの往復回数に達した時点で自動的にフィルター清掃を実施することを特徴とする、請求項２に記載の空気調和機のフィルター自動清掃装置。
【請求項４】
ファンモータの累積運転時間により吸引ノズルの往復回数を決定し、空気調和機の短時間運転繰り返し時には、ファンモータの累積運転時間がユーザーの決定した吸引ノズルの往復回数に達した時点で、冷房、暖房、除湿などの空気調和機の通常運転の開始または停止時に自動的にフィルター清掃を実施することを特徴とする、請求項２〜３のいずれかに記載の空気調和機のフィルター自動清掃装置。
【請求項５】
吸引ノズルの往復回数を決定するファンモータの累積運転時間をユーザーの選択するファ
ン速タップに応じて補正することを特徴とする、請求項１、３、４のいずれかに記載の空気調和機のフィルター自動清掃装置。
【請求項６】
吸引ノズルの往復回数を決定するファンモータの累積運転時間を、空気調和機のファンモータの実回転数に応じて補正することを特徴とする、請求項１、３、４のいずれかに記載の空気調和機のフィルター自動清掃装置。
【請求項７】
室内の塵埃量を検知する塵埃センサを具備し、ファンモータ累積時間を前記塵埃センサにより検出された値に応じて補正することを特徴とする、請求項１、３、４のいずれかに記載の空気調和機のフィルター自動清掃装置。
【発明の詳細な説明】
【技術分野】
【０００１】
本発明は、フィルターの清掃を自動的に行うようにした空気調和機のフィルター自動清掃装置に関するものである。
【背景技術】
【０００２】
従来の空気調和機のフィルター装置は、熱交換器の前面に、空気調和機の本体内部へ埃が侵入することを防ぐためのエアーフィルターが設けられており、このエアーフィルターは付着した塵埃を手で清掃できるように着脱自在に構成されている。
【０００３】
こうした構成でのフィルター装置は頻繁なメンテナンスが必要となるだけでなく、メンテナンスが行われるまでの間にはエアーフィルターが徐々に目詰まりしていき、その結果、熱交換器を通過する風量が低下して空調能力が低下して消費電力の増大につながることとなる。
【０００４】
このため、フィルターのメンテナンスの手間を低減する目的に、そのフィルターの上を自走する自動清掃装置が設けられ、それが複数回往復することで、フィルター全面の清掃を実施する。
【０００５】
このような構成のもと、所定時間エアコンが連続運転された際に決められた往復回数を、エアーフィルター上を吸引ノズルが自走し、そこに付着している塵埃を清掃し、複数回にわけてフィルター全面を清掃する制御装置が提案されている（未公開自社出願特願２００４−３２３３７４号）。
【０００６】
以下、従来技術のアルゴリズムを図９のフローチャートを例に説明する。
【０００７】
冷房、暖房、除湿などの通常運転が長時間連続運転され、その時間が所定時間に達すると９０４の自動的にフィルター清掃モードに移行する為に、９０３でファン及び圧縮機が停止する。
【０００８】
そしてフィルター清掃モード９０４に移行し、吸引ノズルが移動する。そして９０５にて吸引ノズルが所定の所定往復動作を終了すると、フィルター清掃は終了し、エアコンは再度フィルター清掃以前に運転していたモードにて通常運転を開始する。
【発明の開示】
【発明が解決しようとする課題】
【０００９】
しかしながら上記従来技術では、所定時間エアコンが連続運転された際に、ユーザーの使用状況は考慮されずに決められた回数だけ吸引ノズルを往復させ清掃を実施する為、風量の高い状況などで運転しているユーザーにとっては掃除の回数が不足しがちとなり、想定以上にエアーフィルターに塵埃が堆積してしまうことで所定の風量から低下してしまい、空気調和機の運転効率を悪化させる不具合が生じていた。
【００１０】
また、フィルター清掃中には空気調和機の冷房、暖房、除湿などの通常運転を停止するため、室内温度、湿度などの室内環境が変化する。しかし従来技術では吸引ノズルの往復回数がユーザーの意思とは関係なく一意的に決定されていた為に、ユーザーの使用環境によっては、フィルター清掃時間が必要以上に長く、つまり空気調和機の運転が長時間停止されため、大きく室内環境を悪化させることがあった。
【課題を解決するための手段】
【００１１】
上記課題を解決するため本発明は、熱交換器を通過する空気の塵埃を除去するエアーフィルターと、前記エアーフィルターに沿って駆動可能な吸引ノズルと、前記吸引ノズルに連結された吸引装置により構成される空気調和機のフィルター装置において、空気調和機の所定時間連続運転時に自動的にその吸引ノズルを往復させることでフィルター清掃を実施し、その複数回の往復によりフィルター全面を清掃し、該清掃の前に前記空気調和機の運転を一旦停止し、一回の清掃時に実施する前記吸引ノズルの往復回数をファンモータの累積運転時間により決定して清掃し、該清掃の後に前記停止前の運転モードにて運転再開するようにしたものである。
【００１２】
このような構成により、空気調和機の所定時間連続運転時に自動的にフィルター清掃を実施する際の吸引ノズルの往復回数を、ファンモータの累積運転時間により補正することで、より想定される埃の量に合致した清掃回数を実施することができる。
【００１３】
また、本発明の空気調和機のフィルター自動清掃装置は、ユーザーによりフィルター清掃時の吸引ノズルの往復回数を選択することが可能であり、ユーザーの決定した吸引ノズルの往復回数にファンモータの累積運転時間が達した時点で自動的にフィルター清掃を実施するので、ユーザーの利便性を高めると共に、より想定される埃の量に合致したタイミングで清掃を実施することができる。
【００１４】
加えてそのファンモータの運転時間だけでなく、埃の量をより精度良く想定する為にその埃の付着量がエアコンの運転されている風量と相関関係にあることから、ユーザーの選択した風量により前述の往復回数を決定するファンモータの運転時間を補正することができる。
【００１５】
加えて更に精度の良い想定を実施する為に、ファンモータのタップではなく、エアコンの実際に運転しているファンモータの回転数により前述の往復回数を決定するファンモータの運転時間を補正することができる。
【００１６】
また室内の塵埃を検知できる塵埃センサを具備した空気調和機においては、検知した塵埃センサ値から換算した係数をファンモータ累積運転時間に補正することにより、より精度良く想定することができる。
【発明の効果】
【００１７】
本発明の空気調和機は、定期的なメンテナンスを要せず、容易にエアーフィルターの清
掃を行うとともに、塵埃量を適切に想定することで塵埃量に合致したタイミングでフィルター清掃を実施し、かつユーザーが清掃回数を選択できることにより、ユーザーの利便性を向上させることができる。
【発明を実施するための最良の形態】
【００１８】
第１の発明は、熱交換器を通過する空気の塵埃を除去するエアーフィルターと、前記エアーフィルターに沿って駆動可能な吸引ノズルと、前記吸引ノズルに連結された吸引装置により構成されるフィルター装置を具備した空気調和機において、空気調和機の所定時間連続運転時に自動的にその吸引ノズルを往復させることでフィルター清掃を実施し、その複数回の往復によりフィルター全面を清掃し、該清掃の前に前記空気調和機の運転を一旦停止し、一度の清掃時に実施する吸引ノズルの往復回数をファンモータの累積運転時間により決定して清掃し、該清掃の後に前記停止前の運転モードにて運転再開することにより、想定される埃の量に合致した清掃回数を実施することができる。
【００１９】
第２の発明は、熱交換器を通過する空気の塵埃を除去するエアーフィルターと、前記エアーフィルターに沿って駆動可能な吸引ノズルと、前記吸引ノズルに連結された吸引装置により構成されるフィルター装置を具備し、その吸引ノズルを往復させることでフィルター清掃を実施し、その複数回の往復によりフィルター全面を清掃することを特徴とした空気調和機において、一度の清掃時に実施する吸引ノズルの往復回数をユーザーにより決定できる操作手段を具備することにより、ユーザーの利便性を向上させることができる。
【００２０】
第３の発明は、特に第２の発明において、ファンモータの累積運転時間により吸引ノズルの往復回数を決定し、空気調和機の連続運転時にはファンモータの累積運転時間がユーザの決定した吸引ノズルの往復回数に達した時点で自動的にフィルター清掃を実施することにより、埃の量に合致したタイミングで自動清掃を実施することができる。
【００２１】
第４の発明は、特に第２の発明において、ファンモータの累積運転時間により吸引ノズルの往復回数を決定し、空気調和機の短時間運転繰り返し時には、ファンモータの累積運転時間がユーザーの決定した吸引ノズルの往復回数に達した時点で、冷房、暖房、除湿など空気調和機の通常運転の開始または停止時に自動的にフィルター清掃を実施することにより、埃の量に合致したタイミングで自動清掃を実施することができる。
【００２２】
第５の発明は、特に第１、３、４の発明において、吸引ノズルの往復回数を決定するファンモータの累積運転時間をユーザーの選択するファン速タップにより補正することにより、埃の量をより精度良く想定することができる。
【００２３】
第６の発明は、特に第１、３、４の発明において、吸引ノズルの往復回数を決定するファンモータの累積運転時間をエアコンの実際運転しているファンモータの回転数により補正することにより、さらに埃の量をより精度良く想定することができる。
【００２４】
第７の発明は、特に第１、３、４の発明において、室内の塵埃を検知できる塵埃センサを具備した空気調和機において、ファンモータ累積時間を前記塵埃センサにより検出された値により補正することにより、より室内環境を精度よく分析することができ、より埃の量を精度良く想定することができる。
【００２５】
以下本発明の実施の形態について図面を参照して説明する。なお、この実施の形態によって本発明が限定されるものではない。
【００２６】
（実施の形態１）
図１０は、本発明の実施の形態１における空気調和機のエアーフィルター清掃機構を示し
た図である。
【００２７】
この図において熱交換器を通過する空気の塵埃を除去するエアーフィルターは、フィルター枠１００１と、フィルター網１００２から構成され、そのエアーフィルターの表面に沿って移動可能な吸引ノズル１００３が設けられる。
【００２８】
吸引ノズル１００３は、エアーフィルターと一定の距離を保って円滑に移動することができる。
【００２９】
吸引ノズル１００３は吸引装置１００４に連結されており、エアーフィルター上に付着した塵埃は吸引ノズル１００３より吸引される。
【００３０】
また吸引ノズルの動作としては一例として左右方向に動作され、その往復動作は１００５のリミットＳＷのＯＮ／ＯＦＦにて確認され、動作方向の切換えが実施される。
【００３１】
また、図１１はエアコン本体でのエアーフィルター清掃機構の構成を示したものである。
【００３２】
エアコン本体の熱交換器１１０２の風上側にエアーフィルター枠１１０１が構成されている。
【００３３】
通常の使用ではファン１１０３が運転されることで、風が生じ熱交換が行われる。
【００３４】
そしてその風上のエアーフィルターにて埃塵が除去され、フィルター上に蓄積される。
【００３５】
また１１０４は自動可能な上下羽根であり、１１０５は可動パネルを示している。
【００３６】
以上のように構成された空気調和機について、以下にその動作、作用を説明する。
【００３７】
図１は、本発明の第１の実施の形態におけるフローチャートを示すものであり、フィルター清掃をエアコンが長時間連続運転された際に実施するものである。
【００３８】
また図２はファンモータ累積運転時間に基づく吸引ノズルの往復回数決定の表である。
【００３９】
図１において、１０２は通常運転が所定時間（例えば２４時間）運転されたか否かを判断しており、２４時間通常運転がされるとこれに基づき室内のファンが停止する。
【００４０】
そしてその時点でファンモータの累積運転時間が算出される。その累積運転時間に基づき、１０４にての吸引ノズル往復回数決定手段によりそれが決定される。
【００４１】
この決定の詳細を示したものが図２である。室内ＦＭの累積運転時間に基づき、吸引ノズルの一回清掃あたりの往復回数が決定される。
【００４２】
運転時間が３時間未満と少ない場合は清掃を実施せず、６時間以内は１往復、１５時間以内は２往復と運転時間が長いほど、その清掃回数は多くなる。
【００４３】
そしてこの表に基づき決定される吸引ノズルの往復回数が１０７にて規定の回数を終了していることが確認されると１０８の清掃終了に基づいて、吸引ノズル及び吸引装置が停止される。
【００４４】
以上の動きを完結し、再度エアコンはフィルター清掃前の運転モードにて通常運転を開始する。
【００４５】
つまりエアコンのファンモータの累積運転時間に基づき吸引ノズルの往復が決定する。
【００４６】
以上より想定される埃の量に合致した清掃回数を実施することを可能にしたものである。
【００４７】
（実施の形態２）
図３は、本発明の第２の実施の形態におけるフローチャートを示すものであり、ユーザーによりフィルター清掃時の吸引ノズル往復回数が選択され、エアコンが長時間連続運転された際にフィルター自動清掃を実施するものである。
【００４８】
図３において、３０２にて常時ファンモータの累積運転時間が算出される。３０３にてユーザーによりリモコンなどで設定されたフィルター清掃時の吸引ノズル往復回数に基づくファンモータ累積運転時間が決定される。
【００４９】
この決定の詳細を示したものが図２である。そして３０４にて決定された累積運転時間が経過したか判断され、規定の累積運転時間が経過していなければ、通常運転を継続し、経過していれば、３０５にてフィルター自動清掃を実施するために室内のファンなどの機能が停止し、フィルター清掃を開始する。
【００５０】
そして３０７にてユーザーによって設定された回数だけ吸入ノズルが往復すると、３０８の清掃終了に基づいて、吸引ノズル及び吸引装置が停止される。
【００５１】
以上の動きを完結し、再度エアコンはフィルター清掃前の運転モードにて通常運転を開始する。
【００５２】
つまりユーザーによりフィルター清掃時の吸引ノズル往復回数が選択可能であり、その設定回数に応じたファンモータ累積時間が満足した時点でフィルター清掃を自動的に開始する。
【００５３】
以上よりユーザーの利便性を向上されると共に、想定される埃の量に合致したタイミングでフィルター清掃を実施することを可能にしたものである。
【００５４】
（実施の形態３）
図４は、本発明の第３の実施の形態におけるフローチャートを示すものであり、ユーザーによりフィルター清掃時の吸引ノズル往復回数が選択され、エアコンが短時間繰り返し運転された際のエアコン停止時にフィルター自動清掃を実施するものである。
【００５５】
図４において、４０２にて常時ファンモータの累積運転時間が算出される。４０３にてユーザーによりリモコンなどで設定されたフィルター清掃時の吸引ノズル往復回数に基づくファンモータ累積運転時間が決定される。
【００５６】
この決定の詳細を示したものが図２である。そして４０４はリモコンなどによる本体停止の手段であり、これに基づき室内外のファン、圧縮機が停止する。
【００５７】
そして４０５にて決定された累積運転時間が経過したか判断され、規定の累積運転時間が経過していなければ、４０９に移行し通常運転を停止し、経過していれば、４０６にてフィルター清掃を開始する。
【００５８】
そして４０７にてユーザーによって設定された回数だけ吸入ノズルが往復すると、４０８の清掃終了に基づいて、吸引ノズル及び吸引装置が停止される。
【００５９】
以上の動きを完結し、エアコンは停止する。つまりユーザーによりフィルター清掃時の吸引ノズル往復回数が選択可能であり、エアコンの短時間繰り返し運転の停止時にその設定回数に応じたファンモータ累積時間が満足した時点でフィルター清掃を自動的に開始する。
【００６０】
以上よりユーザーの利便性を向上されると共に、短時間運転された際にも想定される埃の量に合致したタイミングでフィルター清掃を実施することを可能にしたものである。
【００６１】
（実施の形態４）
図５は、本発明の第４の実施の形態におけるファン速タップによるファンモータ累積運転時間の表である。
【００６２】
ユーザーの選択しているファン速タップにより埃の蓄積量に差が生じる。高いファン速タップを選択している方は埃の蓄積量は増加し、また低いファン速タップを選択している方は埃の蓄積量は少ない。その関係について図６に示す。
【００６３】
その結果は、図６はある環境下での風量に対する埃蓄積量の割合を示したものである。
【００６４】
図に示すとおり、その関係には相関が有り、風量が高ければ埃の蓄積量も多く、風量が低ければ埃の蓄積量も少なくなる。
【００６５】
この様に、ファン速タップが異なることでの埃の堆積量を想定し、ユーザーの選択されるファン速タップにより前述の往復回数を決定するファンモータの運転時間を補正することで、より精度の良い埃の量に合致したフィルター清掃を実施することを可能にしたものである。
【００６６】
（実施の形態５）
図７は、本発明の第５の実施の形態におけるファンモータ回転数によるファンモータ累積運転時間の表である。
【００６７】
ユーザーの選択しているファン速タップが一定であっても、実際には所定の温度到達後、エアコンの方でファンモータの回転数を落としたりと、必ずしも一定ではない。
【００６８】
その為に実際にエアコンの運転している回転数により前述の往復回数を決定するファンモータの運転時間を補正することで、より精度の良い埃の量に合致したフィルター清掃を実施することを可能にしたものである。
【００６９】
（実施の形態６）
図８は、本発明の第６の実施の形態における埃センサによるファンモータ累積運転時間の表である。図に示すように、レベル３が空気中の埃量の多いこと、レベル０が少ないことを表しており、レベルが高いほどエアーフィルターへの埃の蓄積量多い。
【００７０】
ユーザー空気調和機の使用している環境よって、空気中に浮遊している埃量に差があり、その為に空気調和機に具備されている埃センサにより検出された値によって前述の往復回数を決定するファンモータ累積運転時間を補正することで、使用環境をより良い精度で分析し、エアーフィルターに付着した埃の量に合致した清掃を実施することを可能にした
ものである。
【産業上の利用可能性】
【００７１】
以上のように、本発明にかかる空気調和機は、定期的なメンテナンスを要せず、容易にエアーフィルター清掃を行う際に埃の量に合致した清掃を実施することで、その効果を最大限のものとすると共に、種々の空気調和機に適用できる。
【図面の簡単な説明】
【００７２】
【図１】本発明の第１の実施の形態における制御フローチャート
【図２】本発明の第１の実施の形態におけるノズル往復回数説明図
【図３】本発明の第２の実施の形態における制御フローチャート
【図４】本発明の第３の実施の形態における制御フローチャート
【図５】本発明の第４の実施の形態におけるＦＭ累積運転時間補正値の図
【図６】風量と埃堆積量との相関図
【図７】本発明の第５の実施の形態におけるＦＭ累積運転時間補正値の図
【図８】本発明の第６の実施の形態におけるＦＭ累積運転時間補正値の図
【図９】従来例における制御フローチャート
【図１０】空気調和機のエアーフィルター清掃機構図
【図１１】エアーフィルター清掃機構の構成図
【符号の説明】
【００７３】
１００１  フィルター枠
１００２  フィルター網
１００３  吸引ノズル
１００４  吸引装置
１００５  リミットＳＷ
１１０１  フィルター枠
１１０２  熱交換器
１１０３  ファン
１１０４  上下羽根
１１０５  可動パネル
【図１】
0004432881.tif 000002
【図２】
0004432881.tif 000003
【図３】
0004432881.tif 000004
【図４】
0004432881.tif 000005
【図５】
0004432881.tif 000006
【図６】
0004432881.tif 000007
【図７】
0004432881.tif 000008
【図８】
0004432881.tif 000009
【図９】
0004432881.tif 000010
【図１０】
0004432881.tif 000011
【図１１】
0004432881.tif 000012